(57)【要約】【課題】特別なクランプあるいはノーブローバッグを準備する必要がなく、管路の工事箇所に装着された既存のクランプに対して既存のノーブローバッグを安定且つ気密に取り付けることができると共に、使用頻度により損傷され難く装着部から外れることのない管路工事用ノーブローバッグの取付治具を提供する。【解決手段】管路工事用ノーブローバッグＣの取付治具１は、クランプＢのサドルＢ４の外周面に嵌着される筒状の治具基体１１と、該治具基体１１の上周縁に一体に成形されノーブローバッグＣが嵌着される環状取付部１３とを備え、治具基体１１の外周面には締付具２が嵌合する嵌合溝１２が形成されていると共に、環状取付部１３の外周面にはノーブローバッグＣが嵌着される取付溝１４が形成されており、取付治具１は、強靱性を有する弾性材により構成され締付具２によりサドルＢ４に締め付けられるものである。【選択図】  図１
2005023956.tif 000002
【特許請求の範囲】
【請求項１】
管路の工事箇所に装着されたクランプのサドルに取り付けられる管路工事用ノーブローバッグの取付治具であって、前記取付治具は、前記サドルの外周面に嵌着される筒状の治具基体と、該治具基体の上周縁に一体に成形されノーブローバッグが嵌着される環状取付部とを備え、前記治具基体の外周面には締付具が嵌合する嵌合溝が形成されていると共に、前記環状取付部の外周面にはノーブローバッグが嵌着される取付溝が形成されており、前記取付治具は、強靱性を有する弾性材により構成され前記締付具により前記サドルに締め付けられることを特徴とする管路工事用ノーブローバッグの取付治具。
【請求項２】
前記環状取付部には、その内周面に漏洩流体の放散管の下部外周面を支持する内周支持面と、放散管の下端周面を支持する内周段部とが形成されていることを特徴とする請求項１に記載された管路工事用ノーブローバッグの取付治具。
【請求項３】
前記締付具は、一部が欠除された円形状の締付環により形成され、締付環の欠除部に位置する各端部には外方へ延びる操作杆が一体に形成されていることを特徴とする請求項１に記載された管路工事用ノーブローバッグの取付治具。
【請求項４】
前記締付具は、その２個が各締付具の前記操作杆が管路の軸方向に対称的に位置するべく治具基体に形成された嵌合溝に嵌合されると共に、各操作杆に形成されている保持部に保持された各支持バンドにより管路に支持されることを特徴とする請求項３に記載された管路工事用ノーブローバッグの取付治具。
【発明の詳細な説明】
【０００１】
【発明の属する技術分野】
本発明は、管路工事用ノーブローバッグの取付治具に関し、詳しくは、管路の工事箇所に装着された既存のクランプに対して、既存のノーブローバッグを安定且つ気密に取り付けることができる取付治具に関するものである。
【０００２】
【従来の技術】
従来、ガス管工事、例えば分岐管接続工事等にあたって、ガス管に分岐孔を穿孔する場合においては、内部が視認できる柔軟性及び気密性を有した中空状のバッグ本体内を作業空間とし、このバッグ本体の下底に開口した取付穴を、ガス工事対象の作業部に気密に嵌合装着させ、一方、バッグ本体の天井に開口した穴より作業者が手腕をバッグ本体内に気密に差し入れて、作業部にガスを流通させた状態のままバッグ本体内において所要のガス管工事を行えるようにしたノーブローバッグが使用され、このノーブローバッグを使用した分岐管接続工事においては、ガス管に分岐孔を穿設するにあたり、ガス管の穿孔位置に、ガス管口径に適合したサドルをチェンを用いて取り付け、穿孔用アダプターをサドルの分岐口にねじ込み、ノーブローバッグをその下底のゴム板の装着穴を広げてサドルの分岐口の外周溝部に装着し、ノーブローバッグの天井の穴から作業者が手腕を挿入して、ガス管にガスを流通させたままの状態でノーブローバッグ内において穿孔機によりガス管に分岐孔を穿孔し、ガス管内をゴム玉によりガス遮断して分岐管の接続工事を行うものが知られている（例えば、特許文献１参照。）。
【０００３】
【特許文献１】
特開２０００−１８４７９号公報（段落００２４，段落００２５）
【０００４】
【発明が解決しようとする課題】
上記従来技術におけるサドルの分岐口に対するノーブローバッグの取付けは、ノーブローバッグの下底のゴム板の装着穴をサドルの分岐口の外周溝部へ直接に装着するものであるから、サドルの分岐口とノーブローバッグの装着穴とは、相互に気密性を要するため、既存のサドルに対してはその分岐口に適合した装着穴を有する専用のノーブローバッグを必要とし、また、既存のノーブローバッグに対してはその装着穴に適合した分岐口を有する専用のサドルを必要として相互に制約を受け、特別なサドルあるいはノーブローバッグを準備する必要があり、経済性を損するばかりでなく、特に既存のサドルの分岐口が小さい場合には、サドルに対するノーブローバッグの装着が不安定となり、しかも、金属製のサドルに対してノーブローバッグの下底のゴム板の装着穴は使用頻度により損傷され易く、装着穴の損傷により隙間が生じてガス漏れが起こるばかりでなく、ノーブローバッグはサドルの分岐口の外周溝部から外れ易くなる、という不都合があった。
【０００５】
本発明は、上記の不都合な点を一挙に解消することができるもので、特別なクランプあるいはノーブローバッグを準備する必要がなく、管路の工事箇所に装着された既存のクランプに既存のノーブローバッグを安定且つ気密に取り付けることができると共に、使用頻度により損傷され難く装着部から外れることのない管路工事用ノーブローバッグの取付治具を提供することを目的とするものである。
【０００６】
【課題を解決するための手段】
上記目的を達成するために、請求項１に係る発明は、管路の工事箇所に装着されたクランプのサドルに取り付けられる管路工事用ノーブローバッグの取付治具であって、前記取付治具は、前記サドルの外周面に嵌着される筒状の治具基体と、該治具基体の上周縁に一体に成形されノーブローバッグが嵌着される環状取付部とを備え、前記治具基体の外周面には締付具が嵌合する嵌合溝が形成されていると共に、前記環状取付部の外周面にはノーブローバッグが嵌着される取付溝が形成されており、前記取付治具は、強靱性を有する弾性材により構成され前記締付具により前記サドルに締め付けられるものである。
【０００７】
請求項１に係る発明においては、取付治具は、管路の工事箇所に装着されたクランプのサドルの外周面に嵌着される筒状の治具基体と、ノーブローバッグを取り付ける環状取付部とが強靱性を有する弾性材により一体に成形されているものであるから、筒状の治具基体を既存のクランプのサドルに適合させて成形すると共に、環状取付部を既存のノーブローバッグの嵌着穴に適合させて成形することによって、取付治具により既存のクランプに既存のノーブローバッグを取り付けることができるため、特別なクランプあるいはノーブローバッグを準備する必要がなく、管路の工事箇所に装着された既存のクランプに対して既存のノーブローバッグを容易に取り付けることができる。
【０００８】
また、強靱性を有する弾性材により構成されている治具基体の外周面には締付具が嵌合する嵌合溝が形成され、締付具によりサドルに締め付けられるものであるから、取付治具を治具基体によりクランプのサドルに安定且つ気密に取り付けることができ、さらに、強靱性を有する弾性材により構成されている環状取付部の外周面にはノーブローバッグが嵌着される取付溝が形成されているものであるから、ノーブローバッグの弾性材からなる底板に穿設されている嵌着穴が強靱性を有する弾性材により構成されている環状取付部の取付溝に嵌着されるため、ノーブローバッグを取付治具の環状取付部に安定且つ気密に取り付けることができる。
【０００９】
請求項２に係る発明は、請求項１に記載された発明において、環状取付部には、その内周面に漏洩流体の放散管の下部外周面を支持する内周支持面と、放散管の下端周面を支持する内周段部とが形成されているものである。
【００１０】
請求項２に係る発明においては、環状取付部の内周面に、放散管の下部外周面を支持する内周支持面と、放散管の下端周面を支持する内周段部とが形成されているから、クランプに放散管を立設するにあたり、別途、放散管の支持部材を設ける必要がなく、ノーブローバッグを取り付ける環状取付部を放散管の支持部材として兼用することができる。
【００１１】
請求項３に係る発明は、請求項１に記載された発明において、締付具は、一部が欠除された円形状の締付環により形成され、締付環の欠除部に位置する各端部には対向して外方へ延びる操作杆が一体に形成されているものである。
【００１２】
請求項３に係る発明においては、締付具を形成する締付環の欠除部に位置する各端部には、対向して外方へ延びる操作杆が一体に形成されているから、締付具を治具基体に形成されている嵌合溝に対して嵌合あるいは取り外すにあたって、対向する操作杆で締付環の欠除部を開閉操作することにより、締付具を治具基体の嵌合溝に対して容易に嵌合あるいは取り外すことができる。
【００１３】
請求項４に係る発明は、請求項３項に記載された発明において、締付具は、その２個が各締付具の前記操作杆が管路の軸方向に対称的に位置するべく治具基体に形成された嵌合溝に嵌合されると共に、各操作杆に形成されている保持部に保持された各支持バンドにより管路に支持されるものである。
【００１４】
請求項４に係る発明においては、２個の締付具が治具基体の嵌合溝に嵌合され、各締付具の操作杆は管路の軸方向に治具基体を中心として対称的に位置しており、各締付具は各操作杆に形成されている保持部に保持された各支持バンドにより管路に支持されるものであるから、治具基体は各締付具を介して各支持バンドにより管路に支持されるため、取付治具の治具基体をクランプのサドルに安定且つ気密に取り付けることができる。
【００１５】
【発明の実施の形態】
本発明の実施の形態を図面に基づいて詳細に説明する。
既設管路に対する諸工事で、例えば分岐取出し等を行う場合には、先ず、管路の遮断工事を行うのであるが、本発明は、管路の遮断工事に用いられる既存のノーブローバッグを管路の遮断箇所に装着された既存のクランプのサドルに安定且つ気密に取り付けることができる管路工事用ノーブローバッグの取付治具に関するものである。
【００１６】
この管路工事用ノーブローバッグの取付治具を図１及び図２を参照して説明すると、図１及び図２は管路の遮断状態が示されており、管路Ａには管路Ａの外面に内接する上部クランプＢ１及び下部クランプＢ２と締結ボルトＢ３からなる既存のクランプＢが装着され、上部クランプＢ１の中央部にはねじ孔Ｂ５が設けられたサドルＢ４が立設されていると共に、サドルＢ４と上部クランプＢ１とに跨って管軸と直角方向のリブＢ６が設けられ、上部クランプＢ１の内面におけるねじ孔Ｂ５の周囲には管路Ａの外面に接するリング状のパッキンＢ７が付設されている。なお、サドルＢ４のねじ孔Ｂ５は、図示しない穿孔用アダプターあるいは封止用プラグが取り付けられるものであり、管路Ａにおけるねじ孔Ｂ５の位置には穿孔機により穿設された穿孔Ａ１が位置しており、穿孔後にサドルＢ４のねじ孔Ｂ５には封止用プラグが仮締めされる。
【００１７】
クランプＢにおけるサドルＢ４の外周面には強靱性を有する弾性材により構成された図３，図４及び図５に示す取付治具１が嵌着されており、取付治具１は、既存のクランプＢのサドルＢ４に適合させて成形され、サドルＢ４の外周面に嵌着される筒状の治具基体１１と、既存のノーブローバッグＣの嵌着穴Ｃ４に適合させて成形され、治具基体１１の上周縁に一体に成形されてノーブローバッグＣが嵌着される環状取付部１３とを備え、治具基体１１の外周面には締付具２が嵌合する嵌合溝１２が形成されていると共に、環状取付部１３の外周面にはノーブローバッグＣが嵌着される取付溝１４が形成されており、取付治具１の治具基体１１は、嵌合溝１２に嵌合された締付具２によりサドルＢ４に締め付けられている。なお、取付治具１における治具基体１１の下周面には、上部クランプＢ１の弧状の表面とリブＢ６とに合致するように、弧面１７，１７と切欠１８，１８とが図４に示すように点対称に形成されているが、既存のクランプＢにリブＢ６が設けられていない場合には、切欠１８，１８を設ける必要はない。
【００１８】
取付治具１の治具基体１１は、嵌合溝１２に嵌合された締付具２によりサドルＢ４に締め付けられており、締付具２は、図６，図７及び図８に示すように、一部が欠除された円形状の締付環２１により形成され、締付環２１の欠除部に位置する各端部には先端に保持部２３を有する操作杆２２が外方へ延びて一体に形成されていると共に、締付環２１の中央部にヒンジ２４が設けられ、操作杆２２を開閉操作することにより締付環２１を拡縮径させるように構成されている。また、締付具２は、その２個が各締付具２，２の操作杆２２が管路Ａの軸方向に対称的に位置するべく治具基体１１に形成された嵌合溝１２に嵌合されると共に、各操作杆２２；２２に形成されている保持部２３；２３に保持された各支持バンド３，３により管路Ａに支持されている。なお、締付具２が弾性材料により構成されている場合には、締付環２１のヒンジ２４は必ずしも必要がなく、操作杆２２の開閉操作による弾性作用により締付環２１を拡縮径させることができる。
【００１９】
また、ノーブローバッグＣは、内部を視認できる柔軟性及び気密性を有する中空状のバッグ本体Ｃ１と、手腕が挿入される挿入口を有する弾性材からなる天板Ｃ２と、嵌着穴Ｃ４を有する弾性材からなる底板Ｃ３とからなり、このノーブローバッグＣは、底板Ｃ３の嵌着穴Ｃ４により取付治具１における環状取付部１３の取付溝１４に嵌着されている。
【００２０】
なお、ノーブローバッグＣの嵌着に際しては、２個の遮断具Ｅ，ＥのフラグロンチューブＥ２を天板Ｃ２の挿通孔Ｃ５に挿通した状態で嵌着し、その後に、手腕を天板Ｃ２の挿入口から挿入して仮締めされている封止用プラグを取り外し、２個の遮断具Ｅ，ＥのフラグロンバッグＥ１をサドルＢ４のねじ孔Ｂ５及び穿孔Ａ１から管路Ａ内の上流側と下流側に挿入し、各フラグロンバッグＥ１，Ｅ１に給気して管路Ａを遮断する。
【００２１】
管路Ａの遮断後、遮断部からの漏洩気体を放散させるために、放散管Ｄを取付治具１に立設するのであるが、取付治具１の内周面に、放散管Ｄの下部外周面を支持する内周支持面１５と、放散管Ｄの下端周面を支持する内周段部１６とが形成されており、放散管Ｄは取付治具１の内周支持面１５と内周段部１６とにより下端部が支持されると共に、中間部がノーブローバッグＣの天板Ｃ２の挿入口に支持されて取付治具１に立設される。なお、放散管Ｄの下端部には対称位置に遮断具ＥのフラグロンチューブＥ２が嵌入する切欠Ｄ１，Ｄ１が設けられている。そして、管路の分岐作業等の工事を施工した後に、放散管Ｄ及び遮断具Ｅを順次取り外してサドルＢ４のねじ孔Ｂ５に封止用プラグを仮締めし、必要個所のエアパージ後にノーブローバッグＣを取り外して封止用プラグを本締めし、発泡液により検漏して管路工事を終了する。
【００２２】
本発明の実施の形態は上記のように構成されており、取付治具１は、管路Ａの工事箇所に装着されたクランプＢのサドルＢ４の外周面に嵌着される筒状の治具基体１１と、ノーブローバッグＣを取り付ける環状取付部１３とが強靱性を有する弾性材により一体に成形されているものであるから、筒状の治具基体１１を既存のクランプＢのサドルＢ４に適合させて成形すると共に、環状取付部１３を既存のノーブローバッグＣの嵌着穴Ｃ４に適合させて成形することによって、取付治具１により既存のクランプＢに既存のノーブローバッグＣを取り付けることができるため、特別なクランプあるいはノーブローバッグを準備する必要がなく、管路Ａの工事箇所に装着された既存のクランプＢに対して既存のノーブローバッグＣを容易に取り付けることができる。
【００２３】
また、強靱性を有する弾性材により構成されている治具基体１１の外周面には締付具２が嵌合する嵌合溝１２が形成され、締付具２によりサドルＢ４に締め付けられるものであるから、取付治具１を治具基体１１によりクランプＢのサドルＢ４に安定且つ気密に取り付けることができ、さらに、強靱性を有する弾性材により構成されている環状取付部１３の外周面にはノーブローバッグＣが嵌着される取付溝１４が形成されているものであるから、ノーブローバッグＣの弾性材からなる底板Ｃ３に穿設されている嵌着穴Ｃ４が強靱性を有する弾性材により構成されている環状取付部１３の取付溝１４に嵌着されるため、ノーブローバッグＣを取付治具１の環状取付部１３に安定且つ気密に取り付けることができる。
【００２４】
また、環状取付部１３の内周面に、放散管Ｄの下部外周面を支持する内周支持面１５と、放散管Ｄの下端周面を支持する内周段部１６とが形成されているから、クランプＢに放散管Ｄを立設するにあたり、別途、放散管Ｄの支持部材を設ける必要がなく、ノーブローバッグＣを取り付ける環状取付部１３を放散管Ｄの支持部材として兼用することができる。
【００２５】
また、締付具２を形成する締付環２１の欠除部に位置する各端部には、対向して外方へ延びる操作杆２２が一体に形成されているから、締付具２を治具基体１１に形成されている嵌合溝１２に対して嵌合あるいは取り外すにあたって、対向する操作杆２２で締付環２１の欠除部を開閉操作することにより、締付具２を治具基体１１の嵌合溝１２に対して容易に嵌合あるいは取り外すことができる。
【００２６】
さらに、２個の締付具２，２が治具基体１１の嵌合溝１２に嵌合され、各締付具２，２の操作杆２２；２２は管路Ａの軸方向に治具基体１１を中心として対称的に位置しており、各締付具２，２は各操作杆２２；２２に形成されている保持部２３；２３に保持された各支持バンド３，３により管路Ａに支持されるものであるから、治具基体１１は各締付具２，２を介して各支持バンド３，３により管路Ａに支持されるため、取付治具１の治具基体１１をクランプＢのサドルＢ４に安定且つ気密に取り付けることができる。
【００２７】
【発明の効果】
本発明は上記のように構成されているから、取付治具の治具基体を既存のクランプのサドルに適合させて成形すると共に、環状取付部を既存のノーブローバッグの嵌着穴に適合させて成形することによって、取付治具により既存のクランプに既存のノーブローバッグを取り付けることができるため、特別なクランプあるいはノーブローバッグを準備する必要がなく、管路の工事箇所に装着された既存のクランプに対して既存のノーブローバッグを容易に取り付けることができ、また、強靱性を有する弾性材により構成されている治具基体の外周面には締付具が嵌合する嵌合溝が形成され、締付具によりサドルに締め付けられるものであるから、取付治具を治具基体によりクランプのサドルに安定且つ気密に取り付けることができ、さらに、ノーブローバッグの弾性材からなる底板に穿設されている嵌着穴が強靱性を有する弾性材により構成されている環状取付部の取付溝に嵌着されるため、ノーブローバッグの装着穴は使用頻度により損傷され難く、ノーブローバッグを取付治具の環状取付部に安定且つ気密に取り付けることができる。
【図面の簡単な説明】
【図１】本発明の一実施例である管路工事用ノーブローバッグの取付治具により、ノーブローバッグをサドルに取付けた状態を示す半裁正面図である。
【図２】同じく管路工事用ノーブローバッグの取付治具により、ノーブローバッグをサドルに取付けた状態を示す半裁側面図である。
【図３】取付治具の半裁側面図である。
【図４】取付治具の底面図である。
【図５】取付治具の半裁正面図である。
【図６】締付具に支持バンドの一部が保持された状態を示す正面図である。
【図７】締付具に支持バンドが保持された状態を示す平面図である。
【図８】締付具に支持バンドが保持された状態を示す側面図である。
【符号の説明】
１    取付治具                                            １１  治具基体
１２  嵌合溝                        １３  環状取付部
１４  取付溝                        １５  内周支持面
１６  内周段部                      ２    締付具
２１  締付環                        ２２  操作杆
２３  保持部                        ３    支持バンド
Ａ    管路                            Ｂ    クランプ
Ｂ４  サドル                          Ｃ    ノーブローバッグ
Ｄ    放散管
【図１】
2005023956.tif 000003
【図２】
2005023956.tif 000004
【図３】
2005023956.tif 000005
【図４】
2005023956.tif 000006
【図５】
2005023956.tif 000007
【図６】
2005023956.tif 000008
【図７】
2005023956.tif 000009
【図８】
2005023956.tif 000010